(57)【要約】  本発明は、少なくとも１つのプレゼンティティに関するプレゼンス情報を決定する方法に関するものである。本発明は特に、少なくとも１つのプレゼンティティに関するプレゼンス情報を決定する方法であって、前記少なくとも１つのプレゼンティティに関連する端末から、オーディオ信号にアクセスすることと、前記オーディオ信号を解析して、前記少なくとも１つのプレゼンティティのプレゼンスに関する情報を決定することと、前記プレゼンス情報を、プレゼンスサービスとして、サードパーティに提供することとを含む方法に関する。本発明は更に、本発明の方法を実行するよう動作可能なプレゼンス・サービス・システムと、本発明の方法を実行するよう動作可能な手段を備えるユーザー端末と、端末を含み、前記プレゼンス・サービス・システムが、本発明の方法を実行するよう動作可能な通信ネットワークと、コンピュータ上で実行された場合に、本発明の方法を実行するよう前記コンピュータを制御するプログラム、を格納しているコンピュータ読取可能な記憶媒体とに関する。
2009510896.tif 000002
【特許請求の範囲】
【請求項１】
少なくとも１つのプレゼンティティに関するプレゼンス情報を決定する方法であって、
前記少なくとも１つのプレゼンティティに関連する端末から、オーディオ信号にアクセスすることと、
前記オーディオ信号を解析して、前記少なくとも１つのプレゼンティティのプレゼンスに関する情報を決定することと、
前記プレゼンス情報を、プレゼンスサービスとして、サードパーティに提供することとを含む方法。
【請求項２】
前記オーディオ信号に自動的にアクセスすることを含む請求項１に記載の方法。
【請求項３】
前記プレゼンス情報は、前記プレゼンティティが存在するかどうかに関する情報、及び前記プレゼンティティのプレゼンスステータスに関する情報、のうちの少なくとも１つを含む請求項１又は２に記載の方法。
【請求項４】
前記プレゼンスステータスは、前記プレゼンティティの位置、前記プレゼンティティが位置する環境、前記プレゼンティティに関連する個人の気分、前記プレゼンティティの前記個人により行われる動作に関する情報、のうちの少なくとも１つを含む請求項３に記載の方法。
【請求項５】
前記オーディオ信号の雑音レベルを解析して、前記プレゼンティティのプレゼンス及びプレゼンスステータス、のうちの少なくとも１つを決定することを含む請求項１から４のいずれか１項に記載の方法。
【請求項６】
前記オーディオ信号の暗雑音レベルを解析して、前記プレゼンティティのプレゼンス及びプレゼンスステータス、のうちの少なくとも１つを決定することを含む請求項５に記載の方法。
【請求項７】
前記オーディオ信号の音響スペクトルを解析して、前記プレゼンティティのプレゼンス及びプレゼンスステータス、のうちの少なくとも１つを決定することを含む請求項１から６のいずれか１項に記載の方法。
【請求項８】
音声認識を利用して前記オーディオ信号を解析し、前記プレゼンティティのプレゼンス及びプレゼンスステータス、のうちの少なくとも１つを決定することを含む請求項１から７のいずれか１項に記載の方法。
【請求項９】
前記プレゼンス情報を、前記プレゼンスサービスにサブスクライブされている前記サードパーティに伝達することを含む請求項１から８のいずれか１項に記載の方法。
【請求項１０】
一定経過時間後に、更新されたプレゼンス情報を提供することを含む請求項１から９のいずれか１項に記載の方法。
【請求項１１】
少なくとも１つのプレゼンティティに関するプレゼンス情報を、前記プレゼンス情報に基づいて動作可能なサードパーティに提供するプレゼンス・サービス・システムであって、前記システムは、前記プレゼンティティに関連する端末からオーディオ信号にアクセスするよう構成され、前記プレゼンス・サービス・システムは、前記オーディオ信号を解析するオーディオ・アナライザを備え、前記プレゼンス・サービス・システムは、前記オーディオ・アナライザにより出力される前記解析されたオーディオ信号に基づいて、前記少なくとも１つのプレゼンティティのプレゼンスに関する前記プレゼンス情報を決定するプレゼンス・サービス・システム。
【請求項１２】
前記プレゼンス・サービス・システムは、前記端末から前記オーディオ信号に自動的にアクセスするよう構成されている請求項１１に記載のシステム。
【請求項１３】
前記プレゼンス・サービス・システムは、前記オーディオ信号を解釈し、前記オーディオ信号に基づいてプレゼンス情報を出力する、プレゼンスアプリケーションと、少なくとも１つのプレゼンスソースから前記プレゼンス情報を収集して分配する、プレゼンス情報収集及び分配アプリケーションとを備える請求項１１又は１２に記載のシステム。
【請求項１４】
前記音響プレゼンス検出アプリケーションは、プレゼンスソースである請求項１３に記載のシステム。
【請求項１５】
前記プレゼンス情報収集及び分配アプリケーションは、前記端末のネットワーク接続先であるネットワーク構成要素上で実行される請求項１３に記載のシステム。
【請求項１６】
前記プレゼンス情報は、前記プレゼンティティが存在するかどうかに関する情報、及び前記プレゼンティティのプレゼンスステータスに関する情報、のうちの少なくとも１つを含む請求項１１から１５のいずれか１項に記載のシステム。
【請求項１７】
前記システムは、音を検出し、前記音を前記オーディオ信号に変換する、ために前記端末に備えられたマイクから前記オーディオ信号にアクセスするよう構成されている請求項１１から１６のいずれか１項に記載のシステム。
【請求項１８】
前記オーディオ・アナライザは、雑音レベルアナライザであり、前記雑音レベルアナライザの出力は、前記プレゼンティティのプレゼンスステータスを決定するために使用される請求項１１から１７のいずれか１項に記載のシステム。
【請求項１９】
前記オーディオ・アナライザは、暗雑音レベルアナライザであり、前記暗雑音レベルアナライザの出力は、前記プレゼンティティのプレゼンスステータスを決定するために使用される請求項１１から１８のいずれか１項に記載のシステム。
【請求項２０】
前記オーディオ・アナライザは、音響スペクトルアナライザであり、前記音響スペクトルアナライザの出力は、前記プレゼンティティのプレゼンスステータスを決定するために使用される請求項１１から１９のいずれか１項に記載のシステム。
【請求項２１】
前記オーディオ・アナライザは、音声認識アナライザであり、前記音声認識アナライザの出力は、前記プレゼンティティのプレゼンスステータスを決定するために使用される請求項１１から２０のいずれか１項に記載のシステム。
【請求項２２】
前記プレゼンス・サービス・システムは、電気通信サービスに含まれ、前記端末は、電話機を備える請求項１１から２１のいずれか１項に記載のシステム。
【請求項２３】
前記プレゼンス・サービス・システムは、放送サービスに含まれ、前記端末は、前記オーディオ信号を放送する放送局である請求項１１から２２のいずれか１項に記載のシステム。
【請求項２４】
前記プレゼンス・サービス・システムは、前記プレゼンス情報を、前記プレゼンスサービスにサブスクライブされているサードパーティに送信するよう構成されている請求項１１から２３のいずれか１項に記載のシステム。
【請求項２５】
請求項１から１０のいずれか１項に記載の方法を実行するよう動作可能な手段を備えるユーザー端末。
【請求項２６】
端末を含む通信ネットワークであって、プレゼンス・サービス・システムが、請求項１から１０のいずれか１項に記載の方法を実行するよう動作可能な通信ネットワーク。
【請求項２７】
コンピュータ上で実行された場合に、請求項１から１０のいずれか１項に記載の方法を実行するよう前記コンピュータを制御するプログラム、を格納しているコンピュータ読取可能な記憶媒体。
【発明の詳細な説明】
【技術分野】
【０００１】
本発明は、少なくとも１つのプレゼンティティに関するプレゼンス情報を決定する方法、及びプレゼンス・サービス・システムに関する。
【背景技術】
【０００２】
プレゼンスサービスをユーザーに提供するシステムが知られている。プレゼンスサービスにより、ユーザーは、互いにサブスクライブすることや、互いのプレゼンスの通知又はその他の通知を受け取ることが可能となる。プレゼンスサービスは、エンティティのプレゼンスに関する情報であるプレゼンス情報を決定し提供する。プレゼンスサービスは一般に、異なる２組のクライアントを有する。本技術分野では、一方の組のクライアントはプレゼンティティ（presentities）と呼ばれる。プレゼンティティは、プレゼンス情報が、決定され、一般には記憶されたエンティティである。他方の組のクライアントは、本技術分野ではウォッチャー（watchers）と呼ばれ、プレゼンスサービスからプレゼンス情報を受け取る。一般に、ウォッチャーはサードパーティである。
【０００３】
従来のプレゼンスサービスは、そのプレゼンス情報を、限られたデータに基づいて決定する。例えば、従来のプレゼンス・サービス・システムは、どれだけの期間コンピュータのキーボードが触れられていないかを検出すると共に、手動によるプレゼンスステータス設定を受け入れる、ようなインスタント・メッセージング・プログラムに基づいて、プレゼンス情報を決定することができる。
【０００４】
電話の技術分野では、従来のプレゼンス・サービス・システムは、ネットワーク内の呼ステータス（call status）に基づいて、プレゼンス情報を決定することができる。例えば、回線が、使用中かどうか、アイドル状態かどうか、５分を超えてアイドル状態であるかどうか、、、等に基づく。
【０００５】
従来のプレゼンスサービスは、限られた情報しか提供しないことが分かっている。例えば、従来のプレゼンスサービスは、プレゼンティティが存在しているかどうかに関するプレゼンス情報しか提供しない場合もある。従来のプレゼンスサービスは、プレゼンティティのプレゼンスステータスに関するプレゼンス情報は提供しない。
【発明の開示】
【発明が解決しようとする課題】
【０００６】
本発明は、従来のプレゼンスサービスが遭遇するこれらの問題に対処することを目的とする。特に、サードパーティ（ウォッチャー）が動作の基盤とし得る正確なプレゼンス情報を提供することにより、通信を改善することを目的とする。
【課題を解決するための手段】
【０００７】
本発明の第１の態様によれば、少なくとも１つのプレゼンティティに関するプレゼンス情報を決定する方法であって、前記少なくとも１つのプレゼンティティに関連する端末から、オーディオ信号にアクセスすることと、前記オーディオ信号を解析して、前記少なくとも１つのプレゼンティティのプレゼンスに関する情報を決定することと、前記プレゼンス情報を、プレゼンスサービスとして、サードパーティに提供することとを含む方法が提供される。
【０００８】
端末からオーディオ信号にアクセスし、オーディオ信号を解析することにより、プレゼンス情報の正確さが向上することが分かっている。オーディオ信号等の可変ソースを解析することにより、プレゼンス情報の正確さが高められる。更に、オーディオ信号から決定可能なプレゼンス情報は、プレゼンティティの多くの態様に関し、従来のプレゼンス情報と比べてより詳細である。このようにして、プレゼンス情報の品質が改善され、よって、その結果、プレゼンティティとサードパーティとの間の通信が改善される。特に、プレゼンティティが存在するかどうかに加えて、プレゼンスサービスは、プレゼンスステータスに関する情報を提供することができる。
【０００９】
一の実施形態は、前記オーディオ信号に自動的にアクセスすることを含む。このようにして、プレゼンスが検出されている人又はエンティティは、何の動作を講じる必要もなくなる。特に、プレゼンス情報を決定するために解析されるデータに自動的にアクセスして収集することにより、データ収集に関するユーザーの労力を増やすことなく、プレゼンス情報の品質が改善される。
【００１０】
一の実施形態では、前記プレゼンス情報は、前記プレゼンティティが存在するかどうかに関する情報、及び前記プレゼンティティのプレゼンスステータスに関する情報、のうちの少なくとも１つを含む。更なる一の実施形態では、前記プレゼンスステータスは、前記プレゼンティティの位置、前記プレゼンティティが位置する環境、前記プレゼンティティに関連する個人の気分（mood）、前記プレゼンティティの前記個人により行われる動作に関する情報、のうちの少なくとも１つを含む。このようにして、プレゼンスサービスは、プレゼンティティ、及びプレゼンティティに関連する個人、のうちの少なくとも一方に関するより詳細なプレゼンス情報を提供し、よって、プレゼンティティ、及びプレゼンティティに関連する個人、のうちの少なくとも一方とサードパーティとの間の通信が、更に改善される。
【００１１】
更なる一の実施形態は、前記オーディオ信号の雑音レベルを解析して、前記プレゼンティティのプレゼンス及びプレゼンスステータス、のうちの少なくとも１つを決定することを含む。更なる一の実施形態は、前記オーディオ信号の暗雑音レベル（background noise level）を解析して、前記プレゼンティティのプレゼンス及びプレゼンスステータス、のうちの少なくとも１つを決定することを含む。このようにして、プレゼンティティの位置に関するプレゼンス情報が、更に決定できるようになる。例えば、プレゼンティティに関連する個人が、車中にいる、会議中である、等の場合、このプレゼンス情報は、暗雑音を解析することにより決定することができる。
【００１２】
また、更なる一の実施形態は、前記オーディオ信号の音響スペクトルを解析して、前記プレゼンティティのプレゼンス及びプレゼンスステータス、のうちの少なくとも１つを決定することを含む。また、更なる一の実施形態は、音声認識を利用して前記オーディオ信号を解析し、前記プレゼンティティのプレゼンス及びプレゼンスステータス、のうちの少なくとも１つを決定することを含む。このようにして、プレゼンティティに関連する個人の気分が、決定できるようになる。更には、当該個人が特定のソースに関連するプレゼンティティであるかどうかが、決定できるようになる。
【００１３】
更なる一の実施形態は、前記プレゼンス情報を、前記プレゼンスサービスにサブスクライブされている前記サードパーティに伝達することを含む。
【００１４】
更なる一の実施形態は、一定経過時間（an elapsed time）後に、更新されたプレゼンス情報を提供することを含む。このようにして、サードパーティは、プレゼンス情報に関して最新の状態に保たれる。
【００１５】
本発明の第２の態様によれば、少なくとも１つのプレゼンティティに関するプレゼンス情報を、前記プレゼンス情報に基づいて動作可能なサードパーティに提供するプレゼンス・サービス・システムであって、前記システムは、前記プレゼンティティに関連する端末からオーディオ信号にアクセスするよう構成され、前記プレゼンス・サービス・システムは、前記オーディオ信号を解析するオーディオ・アナライザを備え、前記プレゼンス・サービス・システムは、前記オーディオ・アナライザにより出力される前記解析されたオーディオ信号に基づいて、前記少なくとも１つのプレゼンティティのプレゼンスに関する前記プレゼンス情報を決定するプレゼンス・サービス・システムが提供される。このようにして、プレゼンス・サービス・システムによりサードパーティに提供される情報の品質が改善される。
【００１６】
一の実施形態では、前記システムは、前記端末から前記オーディオ信号に自動的にアクセスするよう構成されている。プレゼンス情報を決定するために解析されるデータに自動的にアクセスして収集することにより、データ収集に関するオーバーヘッドを増大することなく、プレゼンス情報の品質が改善される。
【００１７】
更なる一の実施形態では、前記システムは、前記オーディオ信号を解釈し、前記オーディオ信号に基づいてプレゼンス情報を出力する、音響プレゼンス検出アプリケーションと、前記プレゼンス情報を収集して分配する、プレゼンス情報収集及び分配アプリケーションとを備える。
【００１８】
また、更なる一の実施形態では、前記音響プレゼンス検出アプリケーションは、プレゼンスソースである。音響プレゼンス検出アプリケーションを端末上でローカル実行することにより、通信ネットワーク内のシステムの必要帯域幅が削減される。
【００１９】
更なる一の実施形態では、前記プレゼンス情報収集及び分配アプリケーションは、前記端末のネットワーク接続先であるネットワーク構成要素（network element）上で実行される。このようにして、例えば位置を含むプレゼンス情報が決定できるようになる。
【００２０】
一の実施形態では、前記システムは、音を検出し、前記音を前記オーディオ信号に変換する、ために前記端末に備えられたマイクから前記オーディオ信号にアクセスするよう構成されている。このようにして、オーディオ信号が電話技術により容易に利用できるようになる。なぜならば、電話機は全てマイクを有しているからである。
【００２１】
一の実施形態では、前記プレゼンス・サービス・システムは、電気通信サービスに含まれ、前記端末は、電話機（telephony device）を備える。このようにして、電気通信の品質が改善され、存在していないプレゼンティティ、又は、最適な通信を妨げるプレゼンスステータスを有するプレゼンティティ、と通信しようとして無駄に費やされる時間が短縮される。
【００２２】
更なる一の実施形態では、前記プレゼンス・サービス・システムは、放送サービスに含まれ、前記プレゼンティティは、前記オーディオ信号を放送する放送局である。このようにして、サードパーティは、特定の放送番組の視聴（linten or watch）を希望するかどうかを判断するのに役立ち得るようなプレゼンス情報を受け取る。
【００２３】
更なる一の実施形態では、前記プレゼンス・サービス・システムは、前記プレゼンス情報を、前記プレゼンスサービスにサブスクライブされている前記サードパーティに送信するよう構成されている。このようにして、サードパーティは、自身が直接関与することなくプレゼンス情報の提供を受ける。
【００２４】
本発明の第３の態様によれば、請求項１から１０のいずれか１項に記載の方法を実行するよう動作可能な手段を備えるユーザー端末が提供される。
【００２５】
本発明の第４の態様によれば、端末を含む通信ネットワークであって、プレゼンス・サービス・システムが請求項１から１０のいずれか１項に記載の方法を実行するよう動作可能な通信ネットワークが提供される。
【００２６】
本発明の第５の態様によれば、コンピュータ上で実行された場合に、請求項１から１０のいずれか１項に記載の方法を実行するよう前記コンピュータを制御するプログラム、を格納しているコンピュータ読取可能な記憶媒体が提供される。
【００２７】
以下、本発明がより完全に理解されるよう、本発明の実施形態について、図面を参照しつつ専ら例として説明する。
【発明を実施するための最良の形態】
【００２８】
図１は、本発明の一の実施形態によるシステムを概略的に示す。当該システムは、物理的エンティティ７、１４と、機能的エンティティ１６、１９、２０、７１を備える。物理的エンティティは、限定はしないが、端末（例えば、電話機７、１４のようなユーザー端末や、ネットワーク内のサーバー）等を含む。機能的エンティティは、限定はしないが、プレゼンスソース１９やアプリケーション等を含む。機能的エンティティは、１つ又は複数の物理的エンティティの内部に置くことができる。例えば、プレゼンスソース１９は、ユーザー端末を含み得る端末７内に置くこともできるし、代わりに、ネットワーク内のサーバーのような端末内に置くこともできる。図１は特に、本発明の一の実施形態によるプレゼンス・サービス・システム２を含む移動体通信システム１を示している。プレゼンティティ３は、プレゼンスに関する特定の基準に基づいたエンティティである。当該実施形態では、プレゼンティティは、ユーザーｉｄとアベイラビリティ（availability）の組み合わせに基づく。図に示す実施形態では、ユーザーｉｄを有する個人が、プレゼンティティに関連付けられている。ウォッチャー５、１４は、サードパーティである。プレゼンティティ３、７とウォッチャー５、１４は、プレゼンスサービスにサブスクライブされる。プレゼンティティ３、７は、プレゼンス・サービス・システム２によりプレゼンスが決定されるエンティティである。ウォッチャー５、１４は、プレゼンス・サービス・システム２からプレゼンス情報を受け取るエンティティである。図に示す実施形態では、プレゼンティティ７とウォッチャー１４は、人３、５に関連付けられる。ただし、プレゼンティティは、この点については限定されない。別の実施形態では、プレゼンティティは、オーディオ信号を放送する放送局、例えば、ラジオ局又はテレビ局に関連付けられていてもよい。実際、本出願は、オーディオ出力を有するプレゼンティティ、例えば、固定電気通信システムやインターネットシステム等に適用し得る。プレゼンティティ３には、端末７が関連付けられている。図に示す実施形態では、端末７は、携帯電話機に実装されたグラフィカルユーザーインターフェイス（ＧＵＩ）を備える。端末７は、この点については限定されてなく、グラフィカルユーザーインターフェイスを備える電話機又はその他のデバイス、例えば、パーソナル・デジタル・アシスタント、コンピュータ、モバイル・デジタル・アシスタント等に実装されていてもよい。代わりに、端末は、限定はしないが、ネットワーク構成要素を含んでいてもよい。このような実施形態では、ネットワーク構成要素は、現在どのネットワークオペレータが提供されているかを示すホーム・ロケーション・レジストリ等の携帯電話サービスや、ユーザーがどの基地局に位置しているかを示すロケーションサーバーや、移動交換局でもよい。また、端末７は、サーバー（例えば、現在ユーザーがどのインターネットにログインしているかを示すサーバー）でもよい。プレゼンス情報は、プレゼンスソースが提供してもよい。プレゼンスソースは、後により詳細に説明するような、音響プレゼンス検出アプリケーション１９を含む。また、プレゼンスソースは、他のアプリケーション（例えば、ユーザーのコンピュータ上に用意された企業カレンダー又はその他のカレンダーアプリケーション）を含んでいてもよい。端末７は、オーディオ信号を出力する。オーディオ信号は、端末７自体が生成してもよい。代替的には、オーディオ信号は、音を検出し、その出力としてオーディオ信号を提供する、ような検出器の出力とする。音は、プレゼンティティ、例えば、１人又は複数の人から発せられてもよい。オーディオ信号は、端末７が位置する環境からの音、例えば、暗雑音に由来するものでもよい。当該実施形態では、図１に示すように、検出器は、端末７に配置されているマイク９である。マイク９は、端末７内に配置されている必要はない。また、マイク９は、端末７の付近、又はプレゼンティティが位置する可能性のある場所に配置されていてもよい。マイク９は、音を検出し、その出力としてオーディオ信号１０を提供する。オーディオ信号１０は、電気的であり、デジタルでもアナログでもよい。図１に示す実施形態では、オーディオ信号は、デジタル信号である。オーディオ信号は、プレゼンス・サービス・システム２によりアクセスされる。オーディオ信号は、自動的にアクセスされてもよい。プレゼンス・サービス・システム２は、端末７でローカルにオーディオ信号にアクセスし解析してもよい。代わりに、プレゼンス・サービス・システムは、端末７からリモートでオーディオ信号にアクセスし解析してもよい。プレゼンス・サービス・システムは、端末７上で実行可能な音響プレゼンス検出アプリケーション１９を備えており、端末７は、上述のように、ネットワーク内の構成要素を含んでいてもよい。音響プレゼンス検出アプリケーションは、ユーザー端末又はネットワーク内のサーバーのような端末上で実行可能なプレゼンスソースである。その他のプレゼンスソースは例えば、ネットワーク内のサーバー上で実行されるビジー状態検出アプリケーション、又は端末上で実行される手動設定検出アプリケーションを含む。音響プレゼンス検出アプリケーション１９は、オーディオ信号にアクセスし解釈する。オーディオ信号のリモート解析の場合や、音響プレゼンス検出アプリケーションが端末上で実行される場合には、オーディオ信号や、音響プレゼンス検出アプリケーションにより出力される信号はそれぞれ、通信ネットワーク１を介して送信される。移動体通信ネットワークの場合、オーディオ信号は、当該ネットワークの少なくとも一部分上で、電磁信号として送信される。固定通信ネットワークの場合、オーディオ信号は、電気信号として送信してもよく、且つ／又は、伝送媒体によっては光信号として送信してもよい。一の実施形態では、オーディオ信号は、プレゼンス・サービス・システム２に直接送信される。プレゼンス・サービス・システム２は、プレゼンス情報１２をサードパーティ５に提供するよう構成されている。サードパーティは一般に、プレゼンス・サービス・システム２へのサブスクライバである。プレゼンス情報をサードパーティ５に提示するデバイスは、本技術分野では、ウォッチャー１４と呼ばれることもある。端末と同様に、ウォッチャー１４は、ＧＵＩ、ネットワーク構成要素、サーバー、又はアプリケーション等を含むデバイスでもよい。当該実施形態では、ウォッチャー１４は、携帯電話機である。プレゼンス情報は、ＧＵＩ上の表示の一部として、オーディオ信号として、音声又はテキストメッセージとして、ウォッチャー１４に伝達してもよい。一般的なウォッチャーは、限定はしないが、電話機、コンピュータ、ハンドヘルド電子デバイス、ＰＤＡ、電子カレンダー等を含む。
【００２９】
図に示す実施形態では、プレゼンス・サービス・システム２は、分散システムとして表されている。プレゼンス・サービス・システム２は、オーディオ信号を解釈し、当該オーディオ信号に基づいてプレゼンス情報を出力する、音響プレゼンス検出アプリケーション１９と、当該プレゼンス情報を収集して分配する、プレゼンス情報収集及び分配アプリケーション２０とを備える。音響プレゼンス検出アプリケーション１９は、マイク９からオーディオ信号にアクセスする。音響プレゼンス検出アプリケーション１９は、オーディオ信号を解析するオーディオ・アナライザ１６を含んでいてもよいし、当該オーディオ・アナライザ１６とインタラクト（interact）してもよい。これらのアプリケーションは、オペレーティングシステム上で実行される複数のソフトウェアである。例えば、音響プレゼンス検出アプリケーションは、端末７のオペレーティングシステム上で実行してもよい。同様に、電話アプリケーション７１は、電話機７上で実行される。図１では、システム２の一部は、ネットワーク１とは別のエンティティとして表されている。しかしながら、別の実施形態では、プレゼンス・サービス・システム２は、ネットワーク１に含まれる。図１では、当該システムの一部と、オーディオ・アナライザ１６と、音響プレゼンス検出アプリケーション１９は、端末７に備えられていてもよい。プレゼンス・サービス・システム２は一般に、コンピュータを備え、当該コンピュータは、データ記憶デバイスと、プレゼンス情報を計算するための処理デバイスとを備える。上述のように、プレゼンス・サービス・システムは更に、オーディオ・アナライザ１６を備えていてもよい。これにより、要求されるプレゼンス情報の種類に応じて、オーディオ解析が実行される。例えば、オーディオ・アナライザ１６は、雑音レベルアナライザ、音響スペクトルアナライザ、及び音声認識アナライザ、のうちの少なくとも１つであってもよい。一の実施形態では、プレゼンス情報は、プレゼンティティ３に関連する個人の識別情報（identity）をサブスクライバ５に示すものである。これは、音声解析により実行されてもよい。また、プレゼンティティに関連する個人の気分（mood）又は気質（temperament）を識別するために、信号について音声解析が実行されてもよい。プレゼンティティに関連する個人の気分が良くないと検出された場合、サブスクライバはその後、プレゼンティティ３に関連する個人の呼び出しを遅らせることを決定してもよい。このような気分関係データは更に、処理モジュール１８においてプレゼンス・サービス・システム２により処理され、プレゼンティティに関連する個人の関心レベルを会話（conversation）中に決定することができる。なぜならば、このような情報は、人の発話パターンを解析することにより決定可能であることが分かっているからである。雑音レベルアナライザは、例えば、プレゼンティティ３が位置する環境を決定するために使用可能である。また、暗雑音レベルアナライザは、プレゼンティティが位置する場所を決定する。例えば、プレゼンティティが、車内にいる、外にいる、会議の場にいる、等の場合に、その位置は、暗雑音を解析することにより決定可能である。プレゼンティティ３が会��の場にいると判定された場合、サブスクライバは、会議が終了するまで、プレゼンティティ３に関連する個人の呼び出しを遅らせることを望むことがある。実行される解析に応じて、帯域幅リミッタが備えられていてもよい。この解析は、暗雑音のラウドネスを決定する単純なオーバーオール・ラウドネス検出解析を含んでいてもよい。暗雑音の種類（例えば、自動車、鉄道等）を識別するために、記録されたスペクトル及びいくつかの基準スペクトルの、単一スペクトル解析及び相関チェックが実行されてもよい。また、周囲の音に関するより多くのプレゼンス情報を識別するために、（短い）一定期間に、複数のスペクトル解析が組み合わされても行われてもよい。また、例えば、熱意又はその他の気分に関する挙動を検出するために、特定のオーディオ解析が実行されてもよい。また、単語、言語、特定の話者等を認識するために、音声認識解析が実行されてもよい。また、完全オーディオ解析が実行されてもよく、この場合、特定の状況同士（例えば、二者対話と会議との違い）を認識して区別するよう、解析がチューニングされていてもよい。
【００３０】
図２は、本発明の一の実施形態による方法を示す。図２は特に、プレゼンス・サービス・システム２により実行される処理ステップを示している。プレゼンス・サービス・システム２は、プレゼンティティに関連する端末７からオーディオ信号にアクセスし（ステップ３０）、当該オーディオ信号を解析して、上記プレゼンティティのプレゼンスに関するプレゼンス情報を決定し（ステップ３２）、その後、当該プレゼンス情報を、プレゼンスサービスとして、サードパーティに提供する（ステップ３４）。プレゼンス・サービス・システム２は、更新手段（update facility）を備えていてもよく、この場合、所定の経過時間の後（ステップ３６）、プレゼンス・サービス・システムは、サードパーティにも提供する更新されたプレゼンス情報を決定する。このようにして、サードパーティは、最新のプレゼンス情報を提供される。サードパーティが、経過時間を決定してもよい。代わりに、経過時間は、プレゼンス・サービス・プロバイダにより設定されてもよい。アプリケーション及びサブスクライバに応じて、経過時間は、数分から数時間にわたって変化させてもよい。経過時間は、一定でなくてもよく、例えば、一日の時刻に応じて異なっていてもよい。
【００３１】
以上、本発明の特定の実施形態について説明したが、本発明は、説明した以外の方法で実施してもよいことが理解されよう、この説明は、本発明を限定することを意図するものではない。
【図面の簡単な説明】
【００３２】
【図１】本発明の一の実施形態によるシステムを概略的に示す図である。
【図２】本発明の一の実施形態による方法を示す図である。
【図１】
2009510896.tif 000003
【図２】
2009510896.tif 000004
【国際調査報告】
2009510896.tif 000005
2009510896.tif 000006
2009510896.tif 000007